(57)【特許請求の範囲】
【請求項１】
給湯機器等の本体コントローラと連係されるとともに、台所、浴室、玄関に設置されるリモートコントローラのインターホン装置であって、
離間した箇所に複数のリモートコントローラとして台所リモコン、浴室リモコン、玄関リモコンを含み、各リモコン間で通話が可能なインターホン手段と、
前記台所リモコンは会話スイッチを押して前記浴室リモコン又は前記玄関リモコンとの通話状態を維持させ、前記浴室リモコンは、前記玄関リモコンに対して会話スイッチを押しながら通話できるとともに、前記台所リモコンからの呼出しに応じてハンズフリー通話ができ、前記玄関リモコンは、その呼出スイッチにより、前記台所リモコン又は前記浴室リモコン側の前記会話スイッチの操作により通話を可能にした制御手段と、
を備えたことを特徴とするリモートコントローラのインターホン装置。
【請求項２】
請求項１のリモートコントローラのインターホン装置において、
給湯・追焚装置に接続されるとともに、前記台所リモコン、前記浴室リモコン及び前記玄関リモコンに加えて増設されたリモコンを含み、該リモコンに前記給湯・追焚装置の温度調節スイッチを備え、この温度調節スイッチの操作により温度制御を可能にしたことを特徴とするリモートコントローラのインターホン装置。
【発明の詳細な説明】
【０００１】
【発明の属する技術分野】
本発明は、給湯機器等の遠隔操作とともに、インターホンとして用いられるリモートコントローラのインターホン装置に関する。
【０００２】
【従来の技術】
インターホン装置を通常の会話だけでなく、老人や幼児の監視に用いることは可能であり、従来、浴室にインターホンを設置することは公知である。
【０００３】
【発明が解決しようとする課題】
ところで、浴室に設置したリモートコントローラで台所等の他の場所からの音が聞こえる構成（双方向通話等）は、騒音が浴室に伝わり、不都合である。また、浴室と玄関とをインターホンで通話可能とした場合、浴室側の音が玄関側で聞こえるのも不都合である。例えば、シャワー音で玄関からの呼出し音に気づかなかった場合、シャワー音で入浴中であることが知れてしまう。また、複数のリモコンが接続された場合、リモコン間の会話モードの設定には、複数のスイッチが必要である。
【０００４】
そこで、本発明は、給湯動作指示等の本来の動作に加え、インターホン機能を付加して多機能化を実現したリモートコントローラのインターホン装置を提供することを課題とする。
【０００５】
【課題を解決するための手段】
本発明のリモートコントローラのインターホン装置は、給湯機器（給湯・追焚装置２）等の本体コントローラ（１２）と連係されるとともに、浴室、台所等の複数箇所に設置されるリモートコントローラ（台所リモコン４、浴室リモコン６、玄関リモコン８、増設リモコン９）のインターホン装置であって、複数のリモートコントローラを設置するとともに、各リモートコントローラ間で通話が可能なインターホン手段（インターホン装置１１８）、特定のリモートコントローラに設置され、設置場所に応じて送話、受話又は送受話を選択可能にする制御手段（ＣＰＵ１０６）を備えることにより、浴槽や台所等に設置されているリモートコントローラを併用するとともに、インターホンとして多機能化を実現することができる。
【０００６】
請求項１に係る本発明のリモートコントローラのインターホン装置は、給湯機器（給湯・追焚装置２）等の本体コントローラ（１２）と連係されるとともに、台所、浴室、玄関に設置されるリモートコントローラのインターホン装置であって、離間した箇所に複数のリモートコントローラとして前記台所に設置される台所リモコン（４）、前記浴室に設置される浴室リモコン（６）、前記玄関に設置される玄関リモコン（８）を含み、各リモコン間で通話が可能なインターホン手段（インターホン装置１１８）と、前記台所リモコンは会話スイッチを押して前記浴室リモコン又は前記玄関リモコンとの通話状態を維持させ、前記浴室リモコンは、前記玄関リモコンに対して会話スイッチを押しながら通話できるとともに、前記台所リモコンからの呼出しに応じてハンズフリー通話ができ、前記玄関リモコンは、その呼出スイッチにより、前記台所リモコン又は前記浴室リモコン側の前記会話スイッチの操作により通話を可能にした制御手段（ＣＰＵ１０６）とを備えたことを特徴とする。即ち、玄関リモコンでは、インターホン動作を開始した場合、浴室側の音を玄関以外の他のリモコンに送る動作とし、玄関以外の他の場所のリモコンからの送話では、他のリモコンのスイッチを押し続け、押している間だけ送話が可能な構成とする。この場合、玄関リモコンに対して送話禁止とする。また、玄関リモコンからインターホン動作を開始した場合には、玄関側から他のリモコンに対して送話可能とする。他のリモコンから音を送るには他のリモコンのスイッチを押し続け、押している間だけ送話が可能となる。この場合、玄関リモコンが動作を開始しているため、玄関リモコンも送話可能状態となる。
【０００７】
リモートコントローラに設置される送話のためのスイッチは、他の機能を割り当てたスイッチを用いてもよく、例えば、運転スイッチと共用化し、その場合には押し操作の時間によって異なる機能選択を可能にする。即ち、一定時間未満、例えば、１秒以下の押し操作で運転のＯＮ、一定時間以上、例えば、１秒以上の押し操作で、送話モードとなる機能を設定する。また、音声ガイダンスによって使用方法をアナウンスすることも可能である。
【０００８】
また、請求項２に係る本発明のリモートコントローラのインターホン装置は、請求項１のリモートコントローラのインターホン装置において、給湯・追焚装置に接続されるとともに、前記台所リモコン、前記浴室リモコン及び前記玄関リモコンに加えて増設されたリモコンを含み、該リモコンに前記給湯・追焚装置の温度調節スイッチを備え、この温度調節スイッチの操作により温度制御を可能にしたことを特徴とする。即ち、浴室リモコンと増設されたリモコンとの通話に基づき、該リモコンから給湯・追焚装置の温度調節等の制御を行えば、コントローラ操作が不慣れな使用者に対しても必要な制御を迅速かつ容易に実現することができる。
【０００９】
【発明の実施の形態】
以下、本発明及びその実施の形態を図面に示した実施例を参照して詳細に説明する。
【００１０】
図１〜図６は、本発明のリモートコントローラのインターホン装置の実施例を示し、図１はリモートコントローラのインターホン装置の全体構成、図２は台所リモコンのパネル面、図３は浴室リモコンのパネル面、図４は蓋パネルを開いた状態の浴室リモコンのパネル面、図５は玄関リモコンのパネル面、図６は増設リモコンのパネル面の構成を示している。
【００１１】
このリモートコントローラのインターホン装置は、給湯機器として例えば、既設の給湯・追焚装置２に併設され、例えば、台所リモコン４、浴室リモコン６、玄関リモコン８又は増設リモコン９として構成される。台所リモコン４は台所に設置されて自動湯張り動作指示等の給湯機能、インターホン機能、メッセージ録音・再生機能を備えており、また、浴室リモコン６は、浴室に設置されて、自動湯張り動作指示等の給湯機能、追焚機能、インターホン機能を備えており、また、玄関リモコン８はインターホン機能、メッセージ録音・再生機能を備えている。増設リモコン９は増設用であって、必要に応じて台所リモコン４と同等の機能を設定するか、玄関リモコン８と同等の機能を設定するか任意に選択することができる。
【００１２】
これらリモコン４〜９は、給湯・追焚装置２の本体コントローラ１２に通信ケーブル１３を介して接続され、本体コントローラ１２を介して自動湯張り動作等の給湯機能や追焚機能、インターホン機能等が実行され、玄関リモコン８側のメッセージ録音を台所リモコン６で再生することが可能である。
【００１３】
本体コントローラ１２は、給湯・追焚装置本体１４の制御手段であって、本体コントローラ１２から加えられる動作指令に基づいて、自動湯張り動作、保温動作、追焚動作等が行われる。この給湯・追焚装置本体１４には上水Ｗ、燃料ガスＧが供給され、燃料ガスＧの燃焼によって温水ＨＷが得られる。そして、この給湯・追焚装置本体１４は往管１６、戻管１８を介して浴槽２０の循環口２２に接続され、浴槽２０には上水Ｗ又は温水ＨＷが供給され、また、浴槽水ＢＷが往管１６及び戻管１８からなる循環路２４を通じて給湯・追焚装置本体１４側に循環されて加熱される。この実施例では、給湯機能と追焚機能とを備えた給湯・追焚装置本体１４を例に挙げて説明しているが、本発明のリモートコントローラのインターホン装置には、追焚機能を持たない給湯機能のみの給湯装置本体を用いてもよい。
【００１４】
そして、台所リモコン４には、例えば、図２に示すように、前面パネル部４０２にセグメント表示部４０４、吸音孔４０３、放音孔４０６、優先表示部４０８、伝言表示部４１０、予約表示部４１２、風呂燃焼表示部４１４、給湯燃焼表示部４１６、運転表示部４１８が設けられるとともに、自動スイッチ４２０、運転スイッチ４２２、設定スイッチ４２４、録音スイッチ４２６、再生スイッチ４２８、会話スイッチ４３０等が設けられている。セグメント表示部４０４には給湯温度が表示され、吸音孔４０３にはマイクロホン４０５が内蔵され、また、放音孔４０６にはスピーカ４０７が内蔵されている。録音消去スイッチとしては図示しないが、録音スイッチ４２６及び再生スイッチ４２８で録音消去スイッチが構成されており、即ち、録音スイッチ４２６及び再生スイッチ４２８の同時押しによって録音消去が可能である。また、自動スイッチ４２０は自動湯張り時に操作され、その表示部４２１は自動湯張り動作時に点灯する。運転スイッチ４２２は、給湯・追焚装置２の運転動作の開始又は停止を指示するためのスイッチであり、運転表示部４１８が、運転時、点灯して運転中を表示する。台所リモコン４、浴室リモコン６、玄関リモコン８及び増設リモコン９におけるインターホン動作及び録音動作は、給電が維持されている限り、給湯・追焚装置２の運転動作又は運転停止と無関係に動作状態にある。録音スイッチ４２６は録音開始を指示するスイッチであり、また、再生スイッチ４２８は録音メッセージの再生を指示するスイッチであり、この再生スイッチ４２８を操作することで繰り返し録音メッセージを再生することができる。会話スイッチ４３０の前面には通話表示４３３が付されており、その表示部４３１は通話時に点灯する。また、風呂燃焼表示部４１４及び給湯燃焼表示部４１６は、バーナが燃焼中、フレームロッドが炎を検知したとき点灯し、燃焼を表示する。伝言表示部４１０は、録音時及び録音メッセージが存在しているとき点灯し、それらの表示を行う。
【００１５】
この台所リモコン４では、他の全てのリモコン６〜９に対して、会話スイッチ４３０を押しながら話すことができる。浴室リモコン６は台所リモコン４に対してハンズフリー、即ち、浴室リモコン６に触れることなく通話可能となっているため、台所リモコン４側で浴室リモコン６を通して浴室側の音声をモニター監視可能である。
【００１６】
また、台所リモコン４では、録音スイッチ４２６を操作することでメッセージを録音することができ、また、玄関リモコン８側の訪問者のメッセージを録音することができる。そして、再生スイッチ４２８を操作することで台所リモコン４側の録音メッセージを再生することができ、その後、「ホウモンシャノメッセージヲサイセイシマス」と発声し、玄関リモコン８に録音されていたメッセージ内容を順次に台所リモコン４側で再生することができる。また、台所リモコン４に録音されているメッセージは、録音スイッチ４２６及び再生スイッチ４２８の同時押しで消去でき、再録音による上書きでも消去が可能である。また、同様に、訪問者の録音メッセージも消去可能である。
【００１７】
また、浴室リモコン６には、例えば、図３及び図４に示すように、前面パネル部６０２にセグメント表示部６０４、吸音孔６０３、放音孔６０６が設けられているとともに、このセグメント表示部６０４の下側に開閉可能な蓋パネル６３２が設けられ、この蓋パネル６３２には自動スイッチ６２０、追焚スイッチ６２１、運転スイッチ６２２、会話スイッチ６３０、通話表示６３３等が設けられ、蓋パネル６３２を開くと、前面パネル部６０２の内面側にたし湯スイッチ６３４や「ぬるく」と表示された差し水スイッチ６３６、優先切換スイッチ６３８、温度調節スイッチ６４０、６４２、ポンプスイッチ６４４等が設けられている。吸音孔６０３にはマイクロホン６０５が内蔵され、また、放音孔６０６にはスピーカ６０７が内蔵されている。また、自動スイッチ６２０とたし湯スイッチ６３４、追焚スイッチ６２１と差し水スイッチ６３６、運転スイッチ６２２と優先切換スイッチ６３８、会話スイッチ６３０とポンプスイッチ６４４とは、それぞれ共通の操作ボタンを使用しているため、蓋パネル６３２にはそれぞれの対応箇所に窓部６４６、６４８、６５０、６５２が形成されているとともに、蓋パネル６３２の開閉を検知するための検知スイッチ６５４が前面パネル部６０２側に覆隠されている。この検知スイッチ６５４は、例えば、リードスイッチで構成され、蓋パネル６３２の開閉を検知するため、磁石板６５６が蓋パネル６３２の内面部に覆隠されている。
【００１８】
この浴室リモコン６では、玄関リモコン８に対しては、会話スイッチ６３０を押しながら玄関リモコン８側と通話することができる。台所リモコン４又は増設リモコン９に対しては、台所リモコン４又は増設リモコン９側からの呼出しに応じてハンズフリーで通話が可能である。玄関リモコン８との通話については浴室リモコン６側で音声ガイダンスを行って誤操作の防止を図ることができる。
【００１９】
また、玄関リモコン８は、例えば、図５に示すように、リモコン本体８００の前面側に呼出スイッチ８３０が設けられ、この呼出スイッチ８３０の前面側に吸音孔８０３、放音孔８０６、表示部８３１、通話表示８３３及び録音スイッチ８２６が設けられ、吸音孔８０３の背面側にはマイクロホン８０５、放音孔８０６の背面側にはスピーカ８０７が内蔵されている。表示部８３１は呼出スイッチ８３０を操作、即ち、押したとき、点灯して通話可能であることを表示する。この呼出スイッチ８３０の内側にはインターホン回路等が内蔵されている。
【００２０】
そして、増設リモコン９には、例えば、図６に示すように、前面パネル部９０２にセグメント表示部９０４、吸音孔９０３、放音孔９０６、優先表示部９０８、風呂燃焼表示部９１４、給湯燃焼表示部９１６、運転表示部９１８が設けられるとともに、自動スイッチ９２０、運転スイッチ９２２、設定スイッチ９２４、会話スイッチ９３０、温度調節スイッチ９４０、９４２等が設けられている。会話スイッチ９３０にはその表示部９３１とともに通話表示９３３が設けられている。また、セグメント表示部９０４には給湯温度が表示され、吸音孔９０３にはマイクロホン９０５が内蔵され、また、放音孔９０６にはスピーカ９０７が内蔵されている。
【００２１】
この増設リモコン９は、録音・再生機能を除き、台所リモコン４と同等の機能を備えており、即ち、自動スイッチ９２０は自動湯張り時に操作され、その表示部９２１は自動湯張り動作時に点灯する。運転スイッチ９２２は運転開始又は運転停止を指示するための手段である。
【００２２】
次に、図７は、給湯・追焚装置２の給湯・追焚装置本体１４の一部又は給湯装置本体として構成される給湯器１４Ａの実施例を示している。この給湯器１４Ａには、上水Ｗを加熱する手段として熱交換器７０及びバーナ７２が設置され、熱交換器７０には給水管７４を介して上水Ｗが供給され、出湯管７６から温水ＨＷが得られる。バーナ７２には燃料ガスＧが燃料供給管７８を介して供給され、燃料ガスＧの供給切換手段ないし制御手段としてガス弁８０、８２及びガス比例弁８４が設けられている。バーナ７２には給気ファン８６から燃焼に必要な空気が供給され、点火手段としてイグナイタ８８、燃焼を炎検知によって行うフレームロッド９０が設置されている。
【００２３】
給水管７４には、給水量を検出する手段として水量センサ９２が設けられるとともに、給水温度を検出する入水温度検出器９４が設けられている。また、出湯管７６には、熱交換器７０の出口側に過熱防止スイッチ９６とともに出湯温度検出器９８が設けられ、出湯量を制御するための水制御弁１００が設置されている。
【００２４】
また、入水温度や出湯温度等を制御データとし、バーナ７２の燃焼制御、出湯量や給水量を制御する手段として、本体コントローラ１２が設置されており、この本体コントローラ１２には、交流電源１０２がトランス１０４によって降圧されて供給されている。
【００２５】
次に、図８は、各リモコン４〜９に用いられるリモートコントローラの実施例を示している。
【００２６】
このリモートコントローラは、マイクロコンピュータ等の制御手段を以て構成されており、演算制御手段としてＣＰＵ１０６、記憶手段としてＲＯＭ１０８、ＲＡＭ１１０、音声データ記憶手段として音声用ＲＡＭ１１２、インターホン音声用ＲＡＭ１１４、音声用ＲＯＭ１１６、インターホン装置１１８、制御入力系統１２０、制御出力系統１２２、制御データ送受信回路１２４等を備えている。ＣＰＵ１０６は、各リモコン４〜９毎に設置されて各種制御を行う手段であり、ＲＯＭ１０８にはインターホン制御プログラム、録音・再生プログラム等が書き込まれ、ＲＡＭ１１０には制御途上のデータ等が書き込まれる。音声用ＲＡＭ１１２は、メッセージ録音用のデータ記憶手段であり、マイクロホン４０５（又は６０５、８０５、９０５）からの音声を記憶する。インターホン音声用ＲＡＭ１１４は、インターホン装置１１８のデータ記憶手段であり、インターホンで送られてきた音声データを記憶する。音声用ＲＯＭ１１６は、音声ガイダンスの記憶手段である。
【００２７】
また、ＣＰＵ１０６には、制御入力系統１２０の運転スイッチ４２２、６２２又は９２２、温度調節スイッチ６４０、９４０、６４２、９４２、録音スイッチ４２６、８２６、再生スイッチ４２８、会話スイッチ４３０、６３０、９３０、呼出スイッチ８３０、検知スイッチ６５４、自動スイッチ４２０、６２０、９２０、その他のスイッチから制御入力や切換入力がインターフェース回路（Ｉ／Ｆ）１２６、１２８、１３０、１３２、１３４、１３６、１３８、１４０、１４２等を介して個別に加えられている。
【００２８】
また、インターホン装置１１８は、ＣＰＵ１０６を制御手段として音声信号変調・データ変換回路１４４、音声データ送受信回路１４６、音声データ変換・復調回路１４８、マイクロホン４０５、６０５、８０５、９０５、スピーカ４０７、６０７、８０７、９０７で構成されている。このコントローラでは、制御データ送受信回路１２４からの制御データ信号とインターホン装置１１８からの音声信号とを別個に送受する必要から、この信号切換手段としてＣＰＵ１０６が用いられており、会話スイッチ４３０等の操作によって音声信号の送受モードに選択的に切り換えられる。即ち、マイクロホン４０５（又は６０５、８０５、９０５）から音声信号変調・データ変換回路１４４に加えられた音声は、ＦＭ変調等の変調処理やデータ変換を経て、音声データ送受信回路１４６から通信ケーブル１３に出力され、本体コントローラ１２を介して各リモコン４〜９に出力される。また、他のリモコン４〜９等からの音声信号は、通信ケーブル１３を通して音声データ送受信回路１４６に入力され、音声データ変換・復調回路１４８で復調された後、スピーカ４０７（又は６０７、８０７、９０７）から音声として再生される。
【００２９】
このような音声データとは別に、ＣＰＵ１０６と本体コントローラ１２との各種制御データの授受は、制御データ送受信回路１２４及び通信ケーブル１３を通して行われる。
【００３０】
また、制御出力系統１２２には表示出力等が得られ、ＣＰＵ１０６の表示出力は、駆動回路１５２を通してセグメント表示部４０４、６０４又は９０４、表示回路１５４、１５６、１５８、１６０を個別に介して運転表示部４１８又は９１８、燃焼表示部４１４、４１６、９１４又は９１６、伝言表示部４１０又は他の表示部１６２に加えられる。セグメント表示部６０４は多機能表示となっており、複数の温度や時計表示が行われており、時計データはクロック回路１６４等によって得られている。
【００３１】
そして、このリモコン４〜９において、データの送受信は電源に２５０ｋＨｚの信号を重畳して送受しており、インターホンの音声は音声信号変調・データ変換回路１４４で一定周波数、例えば、４０ｋＨｚの波形に変調し、その変調方式はパルス幅変調を用いている。この変調出力は、例えば、２芯ケーブルからなる通信ケーブル１３を用いて送受し、受信信号を復調して音声として再生する。また、データ通信では、音声データ送受信回路１４６からデータ信号で通信を行い、データ送受信時、音声信号再生系統の動作を停止し、マイクロホン４０５、６０５、８０５、９０５及びスピーカ４０７、６０７、８０７、９０７の動作を停止状態に維持する。また、音声の送受を行うインターホン中は音声波形が乱れて異常な音が発生しないように、通常のデータ通信は停止させている。
【００３２】
また、図９は、本体コントローラ１２の構成を示している。この本体コントローラ１２はマイクロコンピュータ等の制御手段によって構成され、演算制御手段としてＣＰＵ１６６、記憶手段としてＲＯＭ１６８、ＲＡＭ１７０、クロック回路１７２、送受信回路１７４、電源回路１７６等を備え、制御入力系統１７７には、Ｉ／Ｆ１７８、１８０、１８１、１８２、１８４を個別に介して水量センサ９２、過熱防止スイッチ９６、フレームロッド９０、入水温度検出器９４、出湯温度検出器９８等から検出信号が入力されており、Ｉ／Ｆ１８２、１８４の各出力はアナログ信号であるため、Ａ／Ｄ変換回路１８６、１８８を通してディジタル信号に変換された後、ＣＰＵ１６６に加えられている。ＲＯＭ１６８には自動湯張りプログラム、インターホン制御プログラム、録音・再生プログラム等が書き込まれ、ＲＡＭ１７０には演算途上のデータが書き込まれる。クロック回路１７２によって時計データが得られ、時計表示等に用いられる。
【００３３】
また、ＣＰＵ１６６によって得られる制御出力に基づき、制御出力系統１９０の駆動回路１９２、１９４、１９６、１９８、２００、２０２を介してガス弁８０、８２、ガス比例弁８４、給気ファン８６、イグナイタ８８、水制御弁１００等に駆動出力が加えられる。
【００３４】
また、本体コントローラ１２と各リモコン４〜９との制御データの授受は、送受信回路１７４を通して行われ、送受信回路１７４は各リモコン４〜９の制御データ送受信回路１２４と通信ケーブル１３で接続されている。
【００３５】
そして、本体コントローラ１２には定電圧を給電する手段として電源回路１７６が設けられており、この電源回路１７６にはトランス１０４を介して交流電源が供給されている。
【００３６】
次に、リモコン４〜９のインターホン動作について説明する。
（１）台所リモコン４
台所リモコン４では、各リモコン６〜９に対して、会話スイッチ４３０を押すことで、通話状態が維持される。この台所リモコン４に対し、浴室リモコン６ではハンズフリーで通話することができる。通話は、会話スイッチ４３０の短い一定時間の操作、例えば、１秒以内の押し操作で開始し、この通話状態で会話スイッチ４３０の短い一定時間の操作、例えば、１秒以内の押し操作をすると、その通話を終了することができる。玄関リモコン８以外のリモコン４、６、９では、互いに通話内容を聞くことができる。増設リモコン９は、インターホン機能の有無を使用者が容易に設定できる。そして、台所リモコン４側では浴室リモコン６を通して浴室側の音声をモニター監視でき、浴室側での不慮の事故等を察知することができる。
【００３７】
（２）浴室リモコン６
浴室リモコン６では、玄関リモコン８に対しては、会話スイッチ６３０を押しながら玄関リモコン８側と通話できる。台所リモコン４又は増設リモコン９に対しては、台所リモコン４又は増設リモコン９側からの呼出しに応じてハンズフリーで通話ができる。台所リモコン４側では浴室リモコン６を通して浴室側の音声をモニター監視でき、浴室側での不慮の事故等を察知できる。
【００３８】
（３）玄関リモコン８
玄関リモコン８では、訪問者が呼出スイッチ８３０を操作、即ち、押すことにより、ハンズフリーで台所リモコン４、浴室リモコン６又は増設リモコン９の何れとでも通話することができる。即ち、玄関リモコン８において、呼出スイッチ８３０を操作すると、全てのリモコン４、６、９で呼出音が発声し、訪問者の来訪を告知する。呼出スイッチ８３０から手を離しても玄関リモコン８側の音声は他のリモコン４、６、９でモニターすることができる。他のリモコン４、６、９側で会話スイッチ４３０（又は６３０、９３０）等を操作しないとき、即ち、不在の場合には、不在メッセージを発声する。不在メッセージは、不在であることに加えてメッセージが録音できることを表す音声として、例えば、「タダイマルスニシテオリマス、メッセージガアレバロクオンスイッチヲオシテクダサイ」を発声する。
【００３９】
玄関リモコン８において、録音スイッチ８２６を操作すると、録音の手順を表すガイド音声として、例えば、「ピートナッテカラオハナシクダサイ」が発せられる。信号音の後、訪問者から発せられた音声が録音される。この録音には台所リモコン４のインターホン音声用ＲＡＭ１１４が用いられる。そして、予め設定されている録音時間の終了後、録音スイッチ８２６が押される度に、録音内容が追加され、記憶容量の許す限り録音が可能である。但し、録音時間中、録音スイッチ８２６を操作すると、録音中止となる。また、録音のための記憶容量が限界に達すると、録音不能を表すメッセージとして例えば、「ロクオンデキマセン」を発声し、台所リモコン４側で録音を消去すれば、再度録音が可能となる。
【００４０】
（４）増設リモコン９
増設リモコン９においては、他の全てのリモコン４〜８に対して、会話スイッチ９３０を押しながら話すことができる。浴室リモコン６は増設リモコン９に対してハンズフリー、即ち、浴室リモコン６に触れることなく通話可能となっているため、増設リモコン９側で浴室リモコン６を通して浴室側の音声をモニター監視可能であり、これによって浴室側での不慮の事故等を察知できる。また、増設リモコン９ではインターホン機能を停止させることができ、浴室、台所間の通話を秘話化することができる。増設リモコン９のインターホン機能は、使用者が自由に設定できる。
【００４１】
以上説明した各リモコン４〜９の動作は、表１の通りである。この表１において、「マイク」とはマイクロホン動作（送話側）、「スピーカ」とはスピーカ動作（音声発生）、「ＯＦＦ」とはスピーカ動作及びマイク動作の何れでもない状態を示す。
【００４２】
【表１】
0003934326.tif 000002
【００４３】
次に、録音・再生動作について説明すると、録音スイッチ４２６（又は８２６）が操作されると、録音状態となり、マイクロホン４０５（又は８０５）から入力された音声信号がディジタル信号に変換されて音声用ＲＡＭ１１２に書き込まれる。録音制限時間として一定時間が設定されており、この一定時間として例えば、２０秒が設定されている。この２０秒間の経過を計測し、２０秒間だけ録音状態とする。この２０秒間が経過すると、録音終了となり、このメッセージ録音が存在していることを表す伝言表示を行う。この伝言表示は伝言表示部４１０を点灯させ、使用者に伝言のあることを告知する。
【００４４】
また、再生では、再生スイッチ４２８が操作されると、記憶されている音声データが音声用ＲＡＭ１１２から読み出され、ディジタル・アナログ変換を経てスピーカ４０７から音声として再生される。
【００４５】
また、録音の消去では、消去スイッチとして録音スイッチ４２６及び再生スイッチ４２８を同時にＯＮさせ、そのＯＮ時間が一定時間例えば、３秒間持続したとき、音声用ＲＡＭ１１２の音声データの全てを消去するとともに、その伝言表示を消灯させ、録音メッセージがないことを表示する。
【００４６】
消去動作を録音及び再生スイッチの同時押しで実現したが、重ね書き録音によっても前データを消去することが可能である。
【００４７】
なお、実施例では、台所リモコン４等に消去スイッチを録音スイッチ４２６及び再生スイッチ４２８によって構成し、これらの同時押しによって消去動作を行っているが、図１０に示すように、録音スイッチ４２６、再生スイッチ４２８とは別に消去スイッチ４２９を設置してもよい。このような構成とすれば、消去スイッチ４２９を連続的に押し続け、例えば、３秒間の連続操作を以て録音メッセージを消去するようにしてもよい。また、台所リモコン４側に温度調節スイッチ４４０、４４２を設け、浴室とのインターホン通話を通じ、台所側の操作で風呂温度の上昇又は下降を行えるようにしてもよい。
【００４８】
また、運転スイッチ４２２（又は６２２、９２２）の操作に時間制御を設け、例えば、１秒以下の押し操作で運転開始又は運転停止の切換モード、１秒以上の押し操作で通話が可能なマイクロホンモードとしてもよい。また、記憶手段に使い方等の音声ガイダンスを登録し、再生スイッチ４２８等の操作によって再生するようにしてもよい。また、音量調節機能を設けてもよい。伝言表示部４１０の表示形態は連続だけでなく、点滅表示としてもよい。
【００４９】
また、実施例では、音声信号又は制御データ信号の送受時の信号切換をＣＰＵ１０６を信号切換手段に用いたソフトウェアによって処理したが、リモートコントローラ内に信号切換回路を設置する等、ＣＰＵ１０６の制御信号を以て音声信号又は制御データ信号の送受時の信号切換をハードウェアによって切り換えるようにしてもよい。
【００５０】
また、実施例では、燃料ガスＧの燃焼を熱源とした場合について説明したが、本発明は、電熱等の他の熱エネルギを使用する場合にも適用でき、実施例に限定されるものではない。
【００５１】
【発明の効果】
以上説明したように、本発明によれば、次の効果が得られる。
ａ  リモートコントローラとしての制御指令動作に加えて浴室の監視や玄関への訪問者等とのインターホン動作を実現できるとともに、浴室監視や玄関訪問者による入浴の妨げを防止できる。
ｂ  玄関側の呼びかけに対して浴室や台所等、複数の箇所から応答でき、しかも、玄関側に浴室側の音を遮断できる等、プライバシーの保護を図ることができる。
ｃ  各リモコンに対し、インターホン操作に必要なスイッチを単純化できるとともに、そのスイッチの操作を以て複数のリモコン間での通話を可能にでき、操作の簡略化、コストダウンを図ることができる。
ｄ  浴室側と通話しながら、浴槽の湯温等の遠隔的な制御を行うことができ、リモートコントローラの利便性を向上させることができる。
【図面の簡単な説明】
【図１】本発明のリモートコントローラのインターホン装置の実施例を示すブロック図である。
【図２】台所リモコンを示す正面図である。
【図３】浴室リモコンを示す正面図である。
【図４】蓋パネルを開いた状態の浴室リモコンを示す正面図である。
【図５】玄関リモコンを示す正面図である。
【図６】増設リモコンを示す正面図である。
【図７】給湯器の構成を示す図である。
【図８】リモートコントローラの構成を示すブロック図である。
【図９】本体コントローラの構成を示すブロック図である。
【図１０】台所リモコンの他の実施例を示す正面図である。
【符号の説明】
２  給湯・追焚装置（給湯機器）
４  台所リモコン
６  浴室リモコン
８  玄関リモコン
９  増設リモコン
１２  本体コントローラ
１０６  ＣＰＵ（制御手段）
１１８  インターホン装置（インターホン手段）
４０５、６０５、８０５、９０５  マイクロホン
４０７、６０７、８０７、９０７  スピーカ
【図１】
0003934326.tif 000003
【図２】
0003934326.tif 000004
【図３】
0003934326.tif 000005
【図４】
0003934326.tif 000006
【図５】
0003934326.tif 000007
【図６】
0003934326.tif 000008
【図７】
0003934326.tif 000009
【図８】
0003934326.tif 000010
【図９】
0003934326.tif 000011
【図１０】
0003934326.tif 000012